(57)【要約】【課題】本発明は、ＩＣカード機能を搭載した携帯端末を紛失した場合に、不正な使用者による使用を防ぐための生体認証によるセキュリティ機能の利用と、ＩＣカード機能の有効化又は無効化の制御を、使用者の簡単な操作により可能にするとともに、この操作によるＩＣカード機能の視認性が良い携帯端末を提供する。【解決手段】携帯端末の使用者が、指の接触を感知する接触感知機能とその接触している指の指紋を画像として入力する機能を有した入力手段１に、指を押し付けたり離したりすることにより、判定手段３による携帯端末の正当な使用者かどうかの確認と、非接触型ＩＣ手段６を使用可能又は使用不可能に切り替える制御を行い、また、非接触型ＩＣ手段の動作状況を表示手段４に表示する。【選択図】図１
2006155261.tif 000002
【特許請求の範囲】
【請求項１】
携帯端末の使用者の生体情報を入力する入力手段と、前記入力手段により入力された生体情報から特徴量データを抽出する特徴量抽出手段と、予め登録された正当な使用者の生体情報の特徴量データと携帯端末の制御を行うプログラムとを格納する記憶手段と、前記記憶手段により予め登録している正当な使用者の生体情報の特徴量データと前記特徴量抽出手段により抽出した特徴量データを比較し使用者が正当かどうかを判定する判定手段と、前記判定手段による判定結果に応じてＩＣ機能の使用可能状態又は使用不可能状態を切り替える制御手段と、データの送受信を行うＩＣ手段とを備えたことを特徴とする携帯端末。
【請求項２】
前記入力手段は、携帯端末の使用者の指が接触しているかどうかを感知する接触感知センサーと、前記接触感知センサーにより指の接触を感知したときに指紋情報を取得する指紋センサーとから構成され、前記指紋センサーにより取得した指紋情報から特徴量データを抽出する特徴量抽出手段と、予め登録された正当な携帯端末使用者の指紋の特徴量データと携帯端末の制御を行うプログラムを格納する記憶手段と、前記記憶手段により予め登録している正当な携帯端末使用者の指紋の特徴量データと前記抽出手段により抽出した特徴量データを判定する判定手段とを備えたことを特徴とする請求項１に記載の携帯端末。
【請求項３】
前記携帯端末は折りたたみ式であって、前記入力手段を筐体の背面に配置したことを特徴とする請求項１乃至請求項２に記載の携帯端末。
【請求項４】
前記入力手段が、携帯端末の筺体の側面に配置されたことを特徴とする請求項１乃至請求項２に記載の携帯端末。
【請求項５】
前記ＩＣ手段の動作状況に応じて発光する色が変化する発光手段を備えたことを特徴とする請求項１乃至請求項４に記載の携帯端末。
【請求項６】
前記ＩＣ手段の動作状況に応じて振動する振動手段を備えたことを特徴とする請求項１乃至請求項４に記載の携帯端末。
【請求項７】
前記ＩＣ手段は非接触型ＩＣとすることを特徴とする請求項１乃至請求項６に記載の携帯端末。
【発明の詳細な説明】
【技術分野】
【０００１】
本発明は、携帯電話装置等の携帯端末に関し、特に、非接触型ＩＣカード等によるＩＣカード機能又は電子マネー、プリペイドマネー機能を有する携帯端末に関する。
【背景技術】
【０００２】
近年、近距離無線通信によって相手装置と離れた状態で電子決済等のデータ送受信を行える非接触型ＩＣカード機能を搭載した携帯電話などの携帯端末が提案されている。このような非接触型ＩＣカード機能を用いた決済が行われるようになれば、使用者が携帯端末を置き忘れたり、或いは、盗難にあったりして、他人に不正に使用される場合が考えられる。このような問題を防ぐために個人認証技術を携帯端末に搭載し、正当な使用者の認識を行うことで、正当性が認識された場合のみ非接触型ＩＣカード機能を使用可能にする方法が知られている。
【０００３】
このような個人認証技術と非接触型ＩＣカード機能を搭載した従来の携帯端末は、個人認証技術として暗証番号を利用しており、通常時には携帯端末の非接触型ＩＣカード機能を使用不能状態とするが、暗証番号が入力されると、入力された暗証番号が予め登録しておいた正当な使用者の暗証番号と一致した場合に非接触型ＩＣカード機能を使用可能状態にした後、予め設定した時間が経過した後に非接触型ＩＣカード機能を使用不能状態にする方法が知られている（例えば、特許文献１参照）。
【特許文献１】特開２００３−１６３９８号公報（第５−第６頁、図２）
【発明の開示】
【発明が解決しようとする課題】
【０００４】
しかしながら、上述の従来の携帯端末では、使用者が携帯端末の非接触型ＩＣカード機能を利用する際には、毎回暗証番号を入力する必要があり、使用者が煩わしさを感じる場合がある。また、非接触型ＩＣカード機能が使用可能（有効な状態）になった後に設定した時間が経過した場合、使用者がまだ非接触型ＩＣカード機能を使用し続けたいにもかかわらず非接触型ＩＣカード機能が使用不能（無効な状態）になっている場合があり、使用者は再度暗証番号を入力しなければならないという不便が生じていた。
【０００５】
本発明はかかる問題を解決するためになされたもので、読み取り・書き込み機能を有するＩＣカード機能を搭載し、また、個人認証技術として指紋認証技術といった生体認証技術を搭載し、携帯端末を紛失した際の安全性を確保しつつ、簡単な操作で使用者に煩わしさを感じさせることなくＩＣカード機能を利用した電子マネー、プリペイドマネー、定期券、チケット等の各種サービスを利用することのできる携帯端末を提供することを目的とする。
【課題を解決するための手段】
【０００６】
本発明の携帯端末は、携帯端末の使用者の生体情報を入力する入力手段と、入力手段により入力された生体情報から特徴量データを抽出する特徴量抽出手段と、予め登録された正当な携帯端末使用者の生体情報の特徴量データと携帯端末の制御を行うプログラムを格納する記憶手段と、記憶手段により予め登録している正当な携帯端末使用者の生体情報の特徴量データと特徴量抽出手段により抽出した特徴量データを比較し使用者が正当かどうかを判定する判定手段と、判定手段による判定結果に応じてＩＣカード機能の使用可能状態および使用不可能状態を制御する制御手段と、電子マネー、プリペイドマネー等のサービスを提供する端末と電子決済等のデータ送受信を行うＩＣ手段とを具備する構成を採る。
【０００７】
このような構成にしたことにより、携帯端末に搭載した非接触型ＩＣカード機能を使用可能又は使用不能に切り替える制御を、容易な操作によって行える携帯端末を提供することができる。
【発明の効果】
【０００８】
本発明によれば、携帯端末に搭載したＩＣカード機能を使用可能又は使用不能にする制御を、指を指紋センサーに置く容易な操作によって行える携帯端末を提供することができる。
【発明を実施するための最良の形態】
【０００９】
以下、本発明の実施の形態について、図面を参照して詳細に説明する。
【００１０】
（実施の形態１）
図１は、本発明の実施の形態１に係る携帯端末の構成を示すブロック図である。携帯端末９は、入力手段１、特徴量抽出手段２、判定手段３、表示手段４、無線アンテナ５を有する非接触型ＩＣ手段６、記憶手段７、制御手段８が接続される。ここで携帯端末９は携帯電話装置であるとして説明するが、図１では電話通信機能に関する手段については図示を省略している。
【００１１】
制御手段８は、ＣＰＵ又はＤＳＰ等から構成され、記憶手段７に格納されているプログラムによって制御を行う。入力手段１は、使用者の指紋を画像として入力できる指紋センサー１２と、使用者の指が接触したかどうかを感知する接触感知センサー１１とで構成されている。
【００１２】
特徴量抽出手段２は、指紋センサー１２により入力される使用者の指紋の画像から指紋の特徴量データを抽出し、判定手段３は記憶手段７に記憶された正当使用者の特徴量と特徴量抽出手段２で抽出された特徴量とを比較し、使用者が正当使用者かどうかを判定する。
【００１３】
記憶手段７は、ＥＥＲＯＭ、Ｆｌａｓｈ  ＲＯＭ、ＳＲＡＭなどで構成され、携帯端末９の正当な使用者の指紋の特徴量データと、制御手段８を動作させるためのプログラムが格納される。
【００１４】
非接触型ＩＣ手段６は、内部に専用のＣＰＵ、データやプログラムを保持するＦｌａｓｈ  ＲＯＭ等の不揮発性メモリ、リーダ・ライタモジュール等から構成され、無線通信を行うための無線アンテナ５を用いて、データの送受信を行う。この非接触型ＩＣ手段６の使用可能状態と使用不可能状態との状態遷移は、制御手段８により制御される。
【００１５】
表示手段４は、表示ドライバより制御された液晶表示装置等の表示デバイスによって構成され、使用者に対して、ＩＣカード機能の使用状況、例えば、残高、使用中か否かの表示、を表示するだけでなく、例えば音声通話時には電話番号や通話時間等を表示する。
【００１６】
図２は、本実施の形態１における入力手段１の構成を示す図である。入力手段１は、指紋の画像を指紋の紋様による接触部の圧力の変化や静電容量の変化により取得する指紋センサー１２と、指と接触部の間の圧力変化、指の体温による温度変化、指からの微弱な電量の変化などを検出し接触を感知するための接触感知センサー１１を重ね合わせて構成される。入力手段１による接触感知センサー１１の信号は、図１の制御手段８へ伝えられ、本実施の携帯端末において非接触型ＩＣ手段６の動作制御の発端となる。また、入力手段１にある指紋センサー１２による指紋情報は特徴量抽出手段２を介して、判定手段３へ出
力される。なお、指紋情報は、正当な使用者の指紋の特徴量データの登録や、現在の携帯端末の使用者の正当性を調査するために用いられる。
【００１７】
次に、本実施の形態における携帯端末の非接触型ＩＣ手段６の動作を図３のフローチャートを用いて説明する。図３（ａ）は、携帯端末の使用者が入力手段１に指を押し付け、入力手段１を構成する接触感知センサー１１が接触を感知した場合のフローチャートである。図３（ｂ）は入力手段１に指を押し付けていた携帯端末の使用者が入力手段１から指を離した場合の動作を表すフローチャートである。
【００１８】
図３（ａ）において、携帯端末の使用者が入力手段１に指を押し付けると、入力手段１を構成する接触感知センサー１１が接触を感知し（Ｓ１０）、制御手段８は指紋センサー１２の電源をＯＮにする（Ｓ１１）。次に、制御手段８は入力手段１を構成する指紋センサー１２から使用者の指紋の特徴量を取得する（Ｓ１２）。さらに、取得した指紋の特徴量と、記憶手段７に予め登録された正当な携帯端末使用者の指紋の特徴量データを用いて、判定手段３は使用者が正当な携帯端末の使用者かどうかを認証する（Ｓ１３）。ステップＳ１４で正当な使用者であると認証された場合は、制御手段８は非接触型ＩＣ手段６を使用可能状態とする（Ｓ１５）。そして非接触型ＩＣ手段６が使用可能であることを表示手段４に表示する（Ｓ１６）。また、ステップＳ１４で判定手段３により使用者が正当な使用者ではないと判定された場合、すなわち認証が失敗した場合には、制御手段８は、表示手段４に非接触型ＩＣ手段６の使用が不可であることを表示する（Ｓ１７）。
【００１９】
このように本発明の携帯端末の入力手段１に指を押し付けることにより指紋センサーの電源をオンにして指紋認証を行うことができる。
【００２０】
次に、図３（ｂ）を用いてに指を入力手段１から離す場合の動作を説明する。携帯端末の使用者が入力手段１から指を離し所定時間経過した場合（Ｓ２０）に、非接触型ＩＣ手段６が使用可能であるかどうか判定する（Ｓ２１）。使用可能である場合、制御手段８は非接触型ＩＣ手段６を使用不能に制御する（Ｓ２２）。次に表示手段４に非接触型ＩＣ手段６の使用が不可であることを表示する（Ｓ２３）。その後、指紋センサーの電源をオフにする（Ｓ２４）。
【００２１】
このように使用者が指を離してから所定時間を経過後に、非接触型ＩＣ手段６を使用不能に制御するので、使用可能状態で携帯端末が盗難にあった場合でも、不正に使われる可能性が低くなる。
【００２２】
図４は本実施の形態の携帯端末を閉じた状態の外観を表す斜視図である。本実施の携帯端末９は折り畳み型の携帯電話装置であり、携帯端末９の筐体のヒンジ部に非接触型ＩＣ手段６が、表示手段４と入力手段１を筐体の背面に配置し、携帯端末の使用者が非接触型ＩＣ手段６を制御するときに持続して指を押し付け易いようにしている。
【００２３】
以上説明したように、本実施の形態１では、特に、入力手段１を接触感知センサー１１と指紋センサー１２とを具備する構成を採ることにより、指が接触されていない場合の指紋センサーの消費電力を低減することができる。
【００２４】
なお、本実施の形態では、非接触型ＩＣ手段６を携帯端末９のヒンジ部に設けたが、これに限るものではなく、例えば、入力手段１を含む筐体と対向する筐体側に設けてもよい。
【００２５】
なお、本実施の形態では、折り畳み型携帯電話について説明したが、これに限るものではなく、例えば、棒型（ストレート型）の携帯電話でもよい。
【００２６】
なお、本実施の形態では、入力手段１を携帯電話背面上部に配置したがこれに限るものではなく、携帯電話のいずれの面に配置してもよい。
【００２７】
なお、本実施の形態では、認証方式として指紋認証を用いたが、これに限るものではなく、その他の、虹彩、顔等の情報を用いた生体認証（バイオメトリックス認証）を用いてもよい。
【００２８】
なお、接触感知センサーを機械式にすることによってより消費電力の低減を図ってもよい。
【００２９】
なお、本実施の形態では、ＩＣカード機能を非接触型ＩＣ手段６によって構成したがこれに限るものではなく、接触型ＩＣ等のその他の方式であってもよい。
【００３０】
（実施の形態２）
次に本発明の実施の形態２について説明する。本実施例における携帯端末は、折り畳み式携帯電話装置とする構成を採り、特に入力手段を携帯端末の側面に配置する構成を採る。
【００３１】
図５は、本実施の形態における携帯端末１９の外観を表す斜視図である。本実施の形態では、携帯端末１９は、入力手段１を携帯端末筐体の側面に配置し、非接触型ＩＣ手段６が使用可能かどうかを表示する表示手段４を入力手段１が配置されていない筐体に配置する構成を採る。このような構成を採ることにより、携帯電話の使用者が、認証が行われる間、持続して指を押し付け易くなる。本実施の形態では非接触ＩＣ手段６は表示手段４と同一の筐体に配置される。
【００３２】
以上説明したように、本実施の形態２では、折り畳み式携帯電話装置とする構成を採り、さらに入力手段１を携帯端末１９の側面に配置する構成を採ることにより、折り畳み型携帯電話装置であっても使用者が持続して指を押し付け易くすることができる。
【００３３】
なお、本実施の形態では、折り畳み型携帯電話装置について説明したが、これに限るものではなく、例えば、棒型（ストレート型）の携帯電話装置でもよい。
【００３４】
なお、非接触型ＩＣ手段６は、携帯端末１９のいずれの筐体のいずれの面に設けてもよいし、ヒンジ部に設けてもよい。
【００３５】
（実施の形態３）
次に本発明の実施の形態３について説明する。本実施例の携帯端末は、発光手段を備えた構成を採り、非接触型ＩＣ手段６の動作状態に応じて発光手段が発光する色が変化することを特徴とする。すなわち、実施の形態２の携帯電話の非接触型ＩＣ手段６の動作状態を表す表示手段４を発光手段に置き換えた構成である。
【００３６】
発光手段は、ＬＥＤ又は電球等の発光体であり、非接触型ＩＣ手段６の動作状態により発光する色が変化するようにしている。
【００３７】
発光手段が発光する色が変化する動作を図６を用いて説明する。本実施の形態においては、色と点灯方法によって非接触型ＩＣ手段６の動作状態を表現する。
【００３８】
指紋情報が入力された後、判定手段３によって正当な携帯端末使用者であると判定された場合は、青色で点滅させ（状態１）、非接触型ＩＣの使用状態に移ると発光は青色に保
ちつつ点滅の頻度を小さくする（状態２）。非接触型ＩＣが使用中でない場合において、再度の認証不要で非接触型ＩＣが使用可能である場合には、青色を点灯させる（状態３）。また、所定時間経過等の理由により、認証なしには非接触型ＩＣ手段６の使用が不可能である状態においては、赤色を点灯させる（状態４）。さらに、認証が失敗した場合には赤色を点滅させる（状態５）。
【００３９】
以上説明したように、本実施の形態３のおける携帯端末は、発光手段が発光することによって非接触型ＩＣ手段６の動作状態を表現するため、表示手段４に動作状態を文字等によって表示する必要がなくなり、携帯端末に非接触型ＩＣ手段６の表示のための表示手段４を搭載する必要がなくなったり、表示手段４を搭載する場合であっても使用者の動作状態以外の情報をより多く表示したりすることができる。また、表示手段４に動作状態を表示する場合であっても、使用者は表示手段４に表示された使用状況に関する情報を読むことなしに、発光手段の色と点灯状態によって一見して非接触ＩＣ手段５の動作状態を把握することができる。
【００４０】
（実施の形態４）
次に本発明の実施の形態４について説明する。本実施例の携帯端末は、実施の形態３の発光手段に代えて振動手段を備える構成を採り、非接触型ＩＣ手段６の動作状況に応じて振動手段が適応的に振動する。図７の状態ａから状態ｅの動作状態については実施の形態３の状態１から状態５の動作状態と共通であるため、振動方法のみについて説明する。状態ａにおいては、１回振動させる。状態ｂ又は状態ｃにおいては、振動はさせない。状態ｄにおいては、２回振動させ、状態ｅにおいては３回振動させる。
【００４１】
以上説明したように、本実施の形態４における携帯端末は、振動手段が振動することによって非接触型ＩＣ手段６の動作状態を表現するため、使用者が表示手段４を見なくても非接触型ＩＣ手段６の動作状態を知ることができる。
【００４２】
なお、振動手段は、着信時に着信を報知するために用いられる振動手段（バイブレータ）と共用してもよいし、指にのみ振動が伝達されるように、センサー手段又はその周辺に設置してもよい。
【００４３】
なお、本実施の形態では、振動方法を振動回数としたがこれに限るものではなく、振動の強弱又は振動回数と強弱の組合せ等によって、非接触型ＩＣカード機能の動作状態を示すようにしてもよい。
【００４４】
なお、本実施の形態では、ＩＣカード機能を非接触型ＩＣ手段６によって構成したがこれに限るものではなく、接触型ＩＣ等のその他の方式であってもよい。
【産業上の利用可能性】
【００４５】
本発明にかかる携帯端末は、携帯端末に搭載した非接触型ＩＣカード機能を使用可能又は使用不能にする制御を、指を指紋センサーに置く操作によって行える携帯端末に有用である。
【図面の簡単な説明】
【００４６】
【図１】本発明の実施の形態１に係る携帯端末の構成を示すブロック図
【図２】本発明の実施の形態１に係る携帯端末の入力手段を示す概念図
【図３】（ａ）本発明の実施の形態１に係る携帯端末の動作を説明するためのフローチャート（ｂ）本発明の実施の形態１に係る携帯端末の動作を説明するためのフローチャート
【図４】本発明の実施の形態１に係る携帯端末の外観斜視図
【図５】本発明の実施の形態２に係る携帯端末の外観斜視図
【図６】本発明の実施の形態３に係る携帯端末の動作を説明するための図
【図７】本発明の実施の形態４に係る携帯端末の動作を説明するための図
【符号の説明】
【００４７】
１  入力手段
２  特徴量抽出手段
３  判定手段
４  表示手段
５  無線アンテナ
６  非接触型ＩＣ手段
７  記憶手段
８  制御手段
９  携帯端末
１１  接触感知センサー
１２  指紋センサー
【図１】
2006155261.tif 000003
【図２】
2006155261.tif 000004
【図３】
2006155261.tif 000005
【図４】
2006155261.tif 000006
【図５】
2006155261.tif 000007
【図６】
2006155261.tif 000008
【図７】
2006155261.tif 000009